【手続補正書】
【提出日】平成26年3月17日(2014.3.17)
【手続補正１】
【補正対象書類名】明細書
【補正対象項目名】００４７
【補正方法】変更
【補正の内容】
【００４７】
本発明の図２、図３、図６、図７、図１０、図１１、図１４、及び図１５の実施形態のあまり好ましくない任意選択は、冷却された第１の部分３２ａ用のセパレータ容器、冷却された第２の部分３３ａ用のセパレータ容器を提供し、蒸気流れ３４を形成するためにその中で分離された蒸気流れを結合し、液体流れ３５を形成するためにその中で分離された液体流れを結合することである。本発明の別のあまり好ましくない任意選択は、（流れ３７を流れ３６又は流れ３３ａと結合し、結合された流れ３８を形成するよりむしろ）図２、図３、図４、図５、図６、図７、図８、及び図９のフィード冷却部１１８ａ内部の別個の熱交換手段内、又は図１０、図１１、図１２、図１３、図１４、図１５、図１６、及び図１７の熱交換器１０内の別個の通路で流れ３７を冷却し、別個の膨張装置内で冷却された流れを膨張し、膨張した流れを吸収部１１８ｃ内の中間領域に供給することである。
【手続補正２】
【補正対象書類名】特許請求の範囲
【補正対象項目名】全文
【補正方法】変更
【補正の内容】
【特許請求の範囲】
【請求項１】
メタン、Ｃ２成分、Ｃ３成分、およびより重質の炭化水素成分を含有するガスストリーム３１を、揮発性の残留ガス留分４ｌｄと、前記Ｃ２成分の大部分、前記Ｃ３成分の大部分、および前記より重質の炭化水素成分の大部分を含有するか、または前記Ｃ３分の大部分、および前記より重質の炭化水素成分の大部分を含有する相対的に揮発性が低い留分４４とに分離するための方法であって、
（１）前記ガスストリーム３１を第１の部分３２および第２の部分３３に分離することと、
（２）前記第１の部分３２を冷却し（１０）、
（３）前記第２の部分３３を冷却し（１１８ｄ）、
（４）前記冷却された第１の部分３２ａと前記冷却された第２の部分３３ａとを合流し、冷却されたガスストリーム３１ａ、３４を形成し、
（５）前記冷却されたガスストリーム３１ａ、３４を、第１のストリーム３６および第２のストリーム３９に分離し、
（６）前記第１のストリーム３６を冷却（１０）し、その実質的な全てを凝縮し（３８ａ）、続いて、より低圧に膨張（１４）させてさらに冷却すること（３８ｂ）と、
（７）前記膨張させて冷却した第１のストリームを、処理組立体１１８に収容した吸収手段１１８ｃに対する頂部フィード３８ｂとして供給し、
（８）前記第２のストリーム３９を、前記より低圧に膨張させて（１５）、前記吸収手段１１８ｃに対する底部フィード３９ａとして供給し、
（９）前記蒸留蒸気ストリーム４１を、前記吸収手段１１８ｃの上部領域から収集し、１つ以上の熱交換手段１０において加熱し、それにより、工程（２）および（６）の冷却する少なくとも一部を供給し、続いて、前記揮発性の残留ガス留分としての前記加熱した蒸留蒸気ストリーム４１ａを放出し、
（１０）前記吸収手段１１８ｃの下部領域から蒸留液体ストリームを収集し、前記処理組立体１１８に収容された熱および物質移動手段１１８ｄ中で加熱し、これにより、工程（３）における冷却の少なくとも一部を供給しつつ、前記蒸留液体ストリームから出たより高い揮発性成分を同時にストリッピングし、続いて、前記加熱されてストリッピングされた蒸留液体ストリームを、前記相対的に揮発性が低い留分４４として前記処理組立体１１８から放出し、
（１１）前記吸収手段１１８ｃに対する前記フィードストリーム３８ｂ、３９ａの量および温度を、前記相対的に揮発性が低い留分４４中の成分の大部分が回収されるような温度で前記吸収手段１１８ｃの前記上部領域の温度を維持するために有効にする
方法。
【請求項２】
（ａ）前記冷却した第１の部分３２ａを、前記冷却した第２の部分３３ａと合流させて部分的に凝縮したガスストリーム３１ａを形成し、
（ｂ）前記部分的に凝縮したガスストリーム３１ａを、分離手段１２に供給してその中で分離させ、蒸気ストリーム３４および少なくとも１つの液体ストリーム３５を提供し、
（ｃ）前記蒸気ストリーム３４を、前記第１のストリーム３６および第２のストリーム３９に分離し、
（ｄ）前記少なくとも１つの液体ストリーム３５の少なくとも一部４０を前記より低圧に膨張させ１７、前記吸収手段１１８ｃに対する追加的な底部フィードとして供給する（４０ａ）、
請求項１に記載の工程。
【請求項３】
（ａ）前記第１のストリーム３６を、前記少なくとも１つの液体ストリーム３５の少なくとも一部３７と合流させて合流したストリーム３８を形成し、
（ｂ）前記合流したストリーム３８を、冷却して（１０）、その全てを実質的に凝縮し（３８ａ）、続いて、より低圧に膨張させ（１４）、それにより、さらに冷却し（３８ｂ）、
（ｃ）前記膨張させ冷却した合流したストリーム３８ｂを、前記吸収手段１１８ｃに対する前記頂部フィードとして供給し、
（ｄ）前記少なくとも１つの液体ストリーム３５の残りの全ての部分４０を、前記より低圧に膨張させ(１７)、前記吸収手段１１８ｃに対する前記追加的な底部フィードとして供給し（４０ａ）、
（ｅ）前記蒸留蒸気ストリーム４１を、前記１つ以上の熱交換手段１０において加熱し、それにより、前記工程（２）および（ｂ）における冷却の少なくとも一部を供給する、
請求項２に記載の工程。
【請求項４】
（ａ）前記第１の部分３２を冷却し（１０）、続いて、前記低圧に膨張させ(１５)、
（ｂ）前記膨張させ冷却した第１の部分３４ａを、前記吸収手段１１８ｃに対する前記底部フィードとして供給し、
（ｃ）前記第２の部分３３を冷却し（１１８ｄ、１０）て、その全てを実質的に凝縮し（３８ａ）、続いて、前記低圧に膨張させることにより（１４）、さらに冷却し（３８ｂ）、
（ｄ）前記膨張し冷却した第２の部分３８ｂを、前記吸収手段１１８ｃに対する前記頂部フィードとして供給し、
前記蒸留蒸気ストリーム４１を、前記吸収手段１１８ｃの前記上部領域から収集し、前記１つ以上の熱交換手段１０において加熱し、それにより、ステップ（ａ）および（ｃ）における冷却の少なくとも一部を供給し、
（ｆ）前記蒸留蒸気ストリームを、前記吸収手段１１８ｃの前記下部領域から収集し、熱および物質移動手段１１８ｄにおいて加熱し、それにより、工程（ｃ）における冷却の少なくとも一部を供給する、
請求項１に記載の工程。
【請求項５】
（ａ）前記第１の部分３２を十分に冷却（１０）して、部分的に凝縮し（３２ａ）、
（ｂ）前記部分的に凝縮した第１の部分３２ａを、分離手段１２に供給し、その中で分離し、蒸気ストリーム３４および少なくとも１つの液体ストリーム３５を提供し、
（ｃ）前記蒸気ストリーム３４をより低圧に膨張させ（１５）、前記吸収手段１１８ｃに対する前記底部フィード３４ａとして供給し、
（ｄ）前記少なくとも１つの液体ストリーム３５の少なくとも一部４０を、前記より低圧に膨張させ、前記吸収手段１１８ｃに対する追加的な底部フィード４０ａとして供給する、
請求項４に記載の工程。
【請求項６】
（ｉ）前記第２の部分３３を冷却し（１１８ｄ）、その後、前記少なくとも１つの液体ストリーム３５の少なくとも一部３７と合流させて、合流したストリーム３８を形成し、
（ｉｉ）前記合流したストリーム３８を冷却して（１０）、その全てを実質的に凝縮し（３８ａ）、続いて、前記より低圧に膨張させ（１４）、それにより、さらに冷却（３８ｂ）し、
（ｉｉｉ）前記膨張させ冷却した合流したストリーム３８ｂを、前記吸収手段１１８ｃに対する前記頂部フィードとして供給し、
（ｉｖ）前記少なくとも１つの液体ストリーム３５の残りの全ての部分４０を前記より低圧に膨張させ(１７)、前記吸収手段１１８ｃに対する前記追加的な底部フィード４０ａとして供給し、
（ｖ）前記蒸留蒸気ストリーム４１を、前記１つ以上の熱および物質手段１０において加熱し、それにより、前記工程（ａ）および（ｉｉ）における冷却の少なくとも一部を供給する、請求項５に記載の工程
【請求項７】
（１）前記熱および物質移動手段１１８ｄを上部および下部領域に配置し、
（２）前記膨張された前記少なくとも１つの液体ストリームの少なくとも一部を、前記熱および物質移動手段１１８ｄの前記上部領域と前記下部領域との間に入るように、前記処理組立体１１８に供給する（４０ａ）、請求項２または５に記載の工程。
【請求項８】
（１）前記熱および物質移動手段１１８ｄを上部および下部領域に配置し、
（２）前記膨張された前記少なくとも１つの液体ストリームの残りの全ての部分を、前記熱および物質移動手段１１８ｄの前記上部領域と前記下部領域との間に入るように前記処理組立体１１８に供給する（４０ａ）、請求項３または６に記載の方法。
【請求項９】
前記分離手段１１８ｅを前記処理組立体１１８に収容する、請求項２、３、５、６、７、または８に記載の方法。
【請求項１０】
（１）ガス収集手段１１８ｅを前記処理組立体１１８に収容し、
（２）外部の冷却媒体に通じる１つ以上のパスを含む追加的な熱および物質移動手段を、前記ガス収集手段１１８ｅ内部に含み、
（３）前記冷却されたガスストリーム３１ａを前記ガス収集手段１１８ｅに供給し、前記外部の冷却媒体によりさらに冷却される前記追加的な熱および物質移動手段に導き、
（４）前記さらに冷却されたガスストリーム３４を、前記第１のストリーム３６と第２のストリーム３９とに分離する、
請求項１に記載の工程。
【請求項１１】
（１）ガス収集手段１１８ｅを前記処理組立体１１８に収容し、
（２）外部の冷却媒体に通じる１つ以上のパスを含む追加的な熱および物質移動手段を、前記ガス収集手段１１８ｅ内部に含み、
（３）前記冷却された第１の部分３２ａを前記ガス収集手段１１８ｅに供給し、前記外部の冷却媒体によりさらに冷却される前記追加的な熱および物質移動手段に導き、
（４）前記さらに冷却された第１の部分３４を、前記より低圧に膨張し（１５）、続いて、前記底部フィード３４（ａ）として前記吸収手段１１８ｃに供給する、
請求項４に記載の方法。
【請求項１２】
（１）外部の冷却媒体に通じる１つ以上のパスを含む追加的な熱および物質移動手段を、前記分離手段１２内部に含み、
（２）前記蒸気ストリームを、前記外部の冷却媒体により冷却される前記追加的な熱および物質移動手段に導き、追加的な凝縮物を形成し、
（３）前記凝縮物を、前記そこで分離された少なくとも１つの液体ストリーム３５の一部とする、
請求項２、３、５、６、７、８、または９に記載の方法。  
【請求項１３】
前記熱および物質移動手段１１８ｄは、前記蒸留液体ストリームから出た前記より高い揮発性成分を前記ストリッピングするための、前記フィードガス３３により供給される加熱を補う外部の加熱媒体に通じる１つ以上のパスを含む、
請求項１、２、３、４、５、６、７、８、９、１０、１１、または１２に記載の方法。
【請求項１４】
メタン、Ｃ２成分、Ｃ３成分およびより重質の炭化水素成分を含有するガスストリーム３１を、揮発性の残留ガス留分４１ｄと、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分４４とに分離するための装置であって、
（１）前記ガスストリーム３１を第１の部分３２と第２の部分３３とに分離する第１の分離手段と、
（２）前記第１の部分３２を受け入れ、それを冷却する、前記第１の分離手段に接続された第１の熱交換手段１０と、
（３）前記第２の部分３３を受け入れ、それを冷却する、前記第１の分離手段に接続され、かつ処理組立体１１８に収容された熱および物質移動手段１１８ｄと、
（４）前記第１の熱交換手段１０並びに前記熱および物質移動手段１１８ｄに接続されており、前記冷却された第１の部分３２ａおよび前記冷却された第２の部分３３ａを受け入れ、冷却されたガスストリーム３１ａ、３４を形成する合流手段と、
（５）前記合流手段に接続されており、前記冷却されたガスストリーム３１ａ、３４を受け入れ、それを第１のストリーム３６および第２のストリーム３９に分離する第２の分離手段と、
（６）前記第２の分離手段接続されており、前記第１のストリーム３６を受け入れ、それを実質的に凝縮する（３８ａ）ように十分に冷却する第２の熱交換手段１０と、
（７）前記第２の熱交換手段１０に接続されており、前記実質的に凝縮された第１のストリーム３８ａを受け入れ、それをより低圧３８ｂに膨張する第１の膨張手段１４と、
（８）前記処理組立体１１８に収容されており、前記第１の膨張手段１４に接続されて、それに対する頂部フィードとしての前記膨張させて冷却した第１のストリーム３８ｂを受け入れる吸収手段１１８ｃと、
（９）前記第２の分離手段に接続されており、前記第２のストリーム３９を受け入れ、前記より低圧３９ａに膨張させる第２の膨張手段１５であって、前記第２の膨張手段１５を、それに対する底部フィードとして前記膨張させた第２のストリーム３９ａを供給するための前記吸収手段１１８ｃにさらに接続する、第２の膨張手段１５と、
（１０）前記処理組立体１１８に収容されており、前記吸収手段１１８ｃに接続して、前記吸収手段の上部領域から蒸留蒸気ストリームを受け入れる蒸気収集手段１１８ｂと、
（１１）前記蒸気収集手段１１８ｂにさらに接続され、前記蒸留蒸気ストリーム４１を受け入れて加熱し、それにより、前記工程（６）の冷却の少なくとも一部を供給する、前記第２の熱交換手段１０と、
（１２）前記第２の熱交換手段１０にさらに接続されて、前記加熱した蒸留蒸気ストリームを受け入れ、これを加熱し、それにより、前記工程（２）の冷却の少なくとも一部を供給し、続いて、前記蒸留残留ガス留分として前記さらに加熱した蒸留蒸気ストリーム４１ａを放出する、前記第１の熱交換手段１０と、
（１３）前記吸収手段１１８ｃに接続され、かつ前記処理組立体１１８に収容されており、前記吸収手段１１８ｃの下部領域からの蒸留液体ストリームを受け入れる液体収集手段と、
（１４）前記液体収集手段にさらに接続されており、前記蒸留液体ストリームを受け入れ、それを加熱し、前記工程（３）における冷却の少なくとも一部を供給しつつ、前記蒸留液体ストリームから出たより高い揮発性成分を同時にストリッピングし、続いて、前記加熱されてストリッピングされた蒸留液体ストリームを、前記相対的に揮発性が低い留分４４として前記処理組立体１１８から放出する前記熱および物質移動手段１１８ｄと、
（１５）前記吸収手段１１８ｃに対する前記フィードストリーム３８ｂ、３９ａの量および温度の調節に適応し、前記相対的に揮発性が低い留分中４４の成分の大部分が回収されるような温度に前記吸収手段１１８ｃの前記上部領域の温度を維持する制御手段と
を備えた、装置。
【請求項１５】
（ａ）前記合流手段を、前記冷却した第１の部分３２ａおよび前記冷却した第２の部分３３ａを受け入れ、部分的に凝縮したガスストリーム３１ａを形成するように適応させ、
（ｂ）前記第２の分離手段１２を、前記合流手段に接続して、前記部分的に凝縮したガスストリーム３１ａを受け入れ、これを蒸気ストリーム３４および少なくとも１つの液体ストリーム３５に分離し、
（ｃ）前記第２の分離手段を、前記分離手段１２に接続して前記蒸気ストリーム３４を受け入れ、前記第１のストリーム３６および第２のストリーム３９に分離し、
（ｄ）第３の膨張手段１７を、前記分離手段１２に接続して、前記少なくとも１つの液体ストリーム３５の少なくとも一部４０を受け入れ、前記より低圧に膨張させ、前記第３の膨張手段１７が、前記吸収手段１１８ｃにさらに接続して、それに対する追加的な底部フィードとして、前記少なくとも１つの液体ストリーム４０ａの膨張させた少なくとも一部を供給する、
請求項１４に記載の装置。
【請求項１６】
（ａ）追加的な合流手段を、前記第２の分離手段および前記分離手段１２に接続して、前記第１のストリーム３６および前記少なくとも１つの液体ストリーム３５の少なくとも一部３７を受け入れ、合流したストリーム３８を形成し、
（ｂ）前記第２の熱交換手段１０を、前記合流手段に接続して前記合流手段３８を受け入れ、十分に冷却してそれを実質的に凝縮し（３８ａ）、
（ｃ）前記第１の膨張手段１４を、前記第２の熱交換手段１０に接続して、前記実質的に凝縮した合流したストリーム３８ａを受け入れ、より低圧３８ｂに膨張させ、
（ｄ）前記吸収手段１１８ｃを、前記第１の膨張手段１４に接続して、それに対する前記頂部フィードとしての前記膨張させて冷却した合流したストリーム３８ｂを受け入れ、
（ｅ）前記第３の膨張手段１７を、前記分離手段１２に接続して前記少なくとも１つの液体ストリーム３５の残りの全ての部分４０を受け入れ、前記より低圧に膨張させ（４０ａ）、前記第３の膨張手段１７を、前記吸収手段１１８ｃにさらに接続して、それに対する前記追加的な底部フィードとして前記少なくとも１つの液体ストリーム４０ａの前記膨張した残りの全ての部分を供給し、
（ｆ）前記第２の熱交換手段１０を、前記蒸気収集手段１１８ｂにさらに接続し、前記蒸留蒸気ストリーム４１を受け入れ、それを加熱し、それにより、前記工程（ｂ）の冷却の少なくとも一部を供給する、
請求項１５に記載の装置。
【請求項１７】
（ａ）前記第２の熱交換手段１０を、前記熱および物質移動手段１１８ｄに接続して、前記冷却した第２の部分３３ａを受け入れ、さらに十分に冷却してそれを実質的に凝縮し（３８ａ）、
（ｂ）前記第１の膨張手段１４を、前記第２の熱交換手段１０に接続して前記実質的に凝縮した第２の部分３８ａを受け入れ、より低圧に膨張させ（３８ｂ）、
（ｃ）前記吸収手段１１８ｃを、前記第１の膨張手段１４に接続して、それに対する前記頂部フィードとして前記膨張させて冷却した第２の部分３８ｂを受け入れ、
（ｄ）前記第２の膨張手段１５を、前記第１の熱交換手段１０に接続して、前記冷却した第１の部分３２ａを受け入れ、前記より低圧に膨張させ（３４ａ）、前記第２の膨張手段１５を、前記吸収手段１１８ｃにさらに接続して、それに対する前記底部フィードとしての前記膨張させて冷却した第１の部分３４ａを供給し、
（ｅ）前記第２の熱交換手段１０を、前記蒸気収集手段１１８ｂにさらに接続して、前記蒸留蒸気ストリーム４１を受け入れ、それを加熱し、それにより、前記工程（ａ）の冷却の少なくとも一部を供給する、
請求項１４に記載の装置。
【請求項１８】
（ａ）前記第１の熱交換手段１０を、前記第１の部分３２を受け入れるように適応させて、十分に冷却して部分的に凝縮させ（３２ａ）、
（ｂ）分離手段１２を、前記第１の熱交換手段１０に接続して、前記部分的に凝縮した第１の部分３２ａを受け入れ、蒸気ストリーム３４および少なくとも１つの液体ストリーム３５を分離し、
（ｃ）前記第２の膨張手段１５を、前記分離手段１２に接続して前記蒸気ストリーム３４を受け入れ、前記より低圧に膨張させ（３４a）、前記第２の膨張手段１５を、前記吸収手段１１８ｃにさらに接続して、それに対する前記底部フィードとして前記膨張した蒸気ストリーム３４ａを供給し、
（ｄ）第３の膨張手段１７を、前記分離手段１２に接続して、前記少なくとも１つの液体ストリーム３５の少なくとも一部(40)を受け入れ、前記より低圧に膨張させ（４０ａ）、前記第３の膨張手段１７を、前記吸収手段１１８ｃにさらに接続してそれに対する追加的な底部フィードとしての前記少なくとも１つの液体ストリーム４０ａの前記膨張させた少なくとも一部を供給する、
請求項１７に記載の装置。
【請求項１９】
（ａ）前記合流手段を、前記熱および物質交換手段１１８ｄおよび前記分離手段１２に接続するように適応させて、前記冷却した第２の部分３３ａおよび前記少なくとも１つの液体ストリーム３５の少なくとも一部３７を受け入れ、合流したストリーム３８を形成し、
（ｂ）前記第２の熱交換手段１０を、前記合流手段に接続し、前記合流したストリーム３８を受け入れ、十分に冷却して実質的に凝縮し（３８ａ）、
（ｃ）前記第１の膨張手段１４を、前記第２の熱交換手段１０に接続して、前記実質的に凝縮した合流したストリーム３８ａを受け入れ、より低圧に膨張させ（３８ｂ）、
（ｄ）前記吸収手段１１８ｃを、前記第１の膨張手段１４に接続し、それに対する前記頂部フィードとしての前記膨張させて冷却した合流したストリーム３８ｂを受け入れ、
（ｅ）前記第３の膨張手段１７を、前記分離手段１２に接続して、前記少なくとも１つの液体ストリーム３５の残りの全ての部分４０を受け入れ、前記より低圧に膨張させ（４０ａ）、前記第３の膨張手段１７を、前記吸収手段１１８ｃにさらに接続して、それに対する前記追加的な底部フィードとしての前記少なくとも１つの液体ストリーム４０ａの前記膨張させた残りの全ての部分を供給し、
（ｆ）前記第２の熱交換手段１０を、前記蒸気収集手段１１８ｂにさらに接続して、前記蒸留蒸気ストリーム４１を受け入れ、加熱し、それにより、前記工程（ｂ）の冷却の少なくとも一部を供給する、請求項１８に記載の装置。
【請求項２０】
（１）前記熱および物質移動手段１１８ｄを、上部および下部領域に配置し、
（２）前記処理組立体１１８を、前記第３の膨張手段１７に接続して、前記少なくとも１つの液体ストリーム４０ａの前記膨張した少なくとも一部を受け入れ、前記熱および物質移動手段１１８ｄの前記上部および下部領域の間に導く、
請求項１５または１８に記載の装置。
【請求項２１】
（１）前記熱および物質移動手段１１８ｄを、上部および下部領域に配置し、
（２）前記処理組立体１１８を、前記第３の膨張手段１７に接続して、前記少なくとも１つの液体ストリーム４０ａの前記膨張した残りの全ての部分を受け入れ、前記熱および物質移動手段１１８ｄの前記上部および下部領域の間に導く、
請求項１６または１９に記載の装置。
【請求項２２】
前記分離手段１１８ｅを、前記処理組立体１１８に収容する、請求項１５、１６、１８、１９、２０、または２１に記載の装置。
【請求項２３】
（１）ガス収集手段１１８ｅを、前記処理組立体１１８に収容し、
（２）追加的な熱および物質移動手段は、前記ガス収集手段１１８ｅの内部に含まれ、前記追加的な熱および物質移動手段は、外部の冷却媒体に通じる１つ以上のパスを含み、
（３）前記ガス収集手段１１８ｅを、前記合流手段に接続して、前記冷却したガスストリーム３１ａを受け入れて、前記外部の冷却媒体によりさらに冷却するために、前記追加的な熱および物質移動手段に導き、
（４）前記第２の分離手段を、前記ガス収集手段１１８ｅに接続するように適応させて、前記さらに冷却したガスストリーム３４を受け入れ、前記第１のストリーム３６および第２のストリーム３９に分離する、
請求項１４に記載の装置。
【請求項２４】
（１）ガス収集手段１１８ｅを、前記処理組立体１１８に収容し、
（２）追加的な熱および物質移動手段が、前記ガス収集手段１１８ｅの内部に含まれ、前記追加的な熱および物質移動手段は、外部の冷却媒体に通じる１つ以上のパスを含み、
（３）前記ガス収集手段１１８ｅを、前記第１の熱交換手段１０に接続して、前記冷却した第１の部分３２ａを受け入れて、前記外部の冷却媒体によりさらに冷却するために、前記追加的な熱および物質移動手段に導き、
（４）前記第２の膨張手段１５を、前記ガス収集手段１１８ｅに接続するように適応させて、前記さらに冷却した第１の部分３４を受け入れ、前記より低圧に膨張させ（３４ａ）、前記第２の膨張手段１５を、それに対する前記底部フィードとしての前記膨張させてさらに冷却した第１の部分３４ａを供給するための前記吸収手段１１８ｃにさらに接続する、
請求項１７に記載の装置。
【請求項２５】
（１）追加的な熱および物質移動手段が、前記分離手段１２の内部に含まれ、前記追加的な熱および物質交換手段が、外部の冷却媒体に通じる１つ以上のパスを含み、
（２）前記蒸気ストリームを、前記外部の冷却媒体により冷却するために前記追加的な熱および物質移動手段に導き、追加的な凝縮物を形成し、
（３）前記凝縮物を、その中に分離した前記少なくとも１つの液体ストリーム３５の一部とする、
請求項１５、１６、１８、１９、２０、２１、または２２に記載の装置。
【請求項２６】
前記熱および物質移動手段１１８ｄが、前記蒸留液体ストリームから出た前記より高い揮発性成分を前記ストリッピングするために、前記第２の部分３３により供給される加熱を補う外部の加熱媒体に通じる１つ以上のパスを含む、請求項１４、１５、１６、１７、１８、１９、２０、２１、２２、２３、２４、または２５に記載の装置。